(57)【要約】【目的】係止突起の強度低下を招くことなく異常発光を防止する。【構成】導光板１０において、入光面２６ａおよび出光面２６ｂに対して直交する側端面２６ｄには、非出光面２６ｃと面一になる位置Ｐから出光面２６ｂへ向けた方向に厚みＤを有する係止突起３０ａおよび３０ｂが形成される。係止突起３０ａまたは３０ｂの設けられた位置における導光板１０の厚みをＨとしたとき、係止突起３０ａまたは３０ｂの厚みＤは、「Ｈ×１／２≦Ｄ≦Ｈ×３／４」の式を満足するように設定される。【選択図】　　　　　　　図３
2004045454.tif 000002
【特許請求の範囲】
【請求項１】
光源からの光を取り込む入光面と、前記入光面から取り込まれた光を出射する出光面と、前記入光面および前記出光面に対して直交する側端面と、前記出光面に対向し、複数のプリズムが形成された非出光面とを有する本体、および前記側端面に設けられ、前記非出光面と面一になる位置から前記出光面へ向けた方向に厚みＤを有する係止突起を備える、導光板において、
前記係止突起の設けられた位置における前記本体の厚みをＨとしたとき、前記係止突起の厚みＤが「Ｈ×１／２≦Ｄ≦Ｈ×３／４」の式を満足することを特徴とする、導光板。
【発明の詳細な説明】
【０００１】
【産業上の利用分野】
この発明は、液晶表示パネルのバックライト等に用いられる面型照明装置を構成する導光板に関する。
【０００２】
【従来の技術】
従来の導光板１は、図６に示すように、光源２からの光を取り込む入光面１ａと、入光面１ａから取り込まれた光を出射する出光面１ｂと、入光面１ａおよび出光面１ｂに対して直交する側端面１ｃと、出光面１ｂに対向する非出光面１ｄとを有する本体を含む。そして、本体の側端面１ｃには、一方端面が非出光面１ｄと面一となり、かつ、他方端面が出光面１ｂと面一となるようにして係止突起３が形成され、非出光面１ｄには、入光面１ａに対して直交する方向へ延びる複数のプリズム４が形成される。
【０００３】
導光板１を用いた面型照明装置５においては、図６に示すように、導光板１が固定枠６ａに対して係止突起３を用いて固定され、導光板１の入光面１ａに沿って光源２が配置され、非出光面１ｄに沿って反射板６ｂが配置される。また、出光面１ｂに沿って導光レンズ６ｃおよび拡散板６ｄが層状に配置される。
【０００４】
そして、面型照明装置５において、光源２が点灯されると、光源２からの光が入光面１ａから導光板１内へ入射され、導光板１の内部を伝わって出光面１ｂから出射される。そして、出光面１ｂから出射された光は、導光レンズ６ｃおよび拡散板６ｄを通して図示しない液晶表示パネルへ照射される。
【０００５】
【発明が解決しようとする課題】
従来技術では、導光板１の側端面１ｃに、一方端面が非出光面１ｄと面一となり、かつ、他方端面が出光面１ｂと面一となるようにして係止突起３が設けられていたので、この係止突起３において、図７に示すような筋状の異常発光Ａが生じるおそれがあった。そして、この異常発光Ａは、液晶表示パネルにおける輝度ムラの原因となっていた。
【０００６】
この異常発光Ａを解消する一手段として、係止突起３の厚みを薄くすることが考えられるが、係止突起３を薄くし過ぎた場合には、強度が低下するため、係止突起３が損傷され易くなるという別の問題を生じるおそれがあった。
【０００７】
それゆえに、この発明の主たる目的は、強度低下を招くことなく異常発光を防止できる、導光板を提供することである。
【０００８】
【課題を解決するための手段】
この発明は、「光源１４からの光を取り込む入光面２６ａと、入光面２６ａから取り込まれた光を出射する出光面２６ｂと、入光面２６ａおよび出光面２６ｂに対して直交する側端面２６ｄと、出光面２６ｂに対向し、複数のプリズム２８が形成された非出光面２６ｃとを有する本体２６、および側端面２６ｄに設けられ、非出光面２６ｃと面一になる位置Ｐから出光面２６ｂへ向けた方向に厚みＤを有する係止突起３０ａ，３０ｂを備える、導光板１０において、係止突起３０ａ，３０ｂの設けられた位置における本体２６の厚みをＨとしたとき、係止突起３０ａ，３０ｂの厚みＤが「Ｈ×１／２≦Ｄ≦Ｈ×３／４」の式を満足することを特徴とする、導光板１０」である。
【０００９】
この発明では、強度低下を招くことなく異常発光を防止するために、係止突起３０ａ，３０ｂの厚みＤを導光板１０の本体２６の厚み（非出光面２６ｃから出光面２６ｂまでの距離）Ｈとの関係で限定したものである。
【００１０】
【発明の実施の形態】
図１を参照して、この発明が適用された導光板１０は、図２に示すような面型照明装置１２に組み込んで用いられるものである。
【００１１】
面型照明装置１２（図２）は、ＴＶ受像機やコンピュータディスプレイなどの液晶表示パネルを背面から照射するバックライトとして用いられるものであり、導光板１０，光源１４，リフレクタ１６，反射板１８，導光レンズ２０，拡散板２２および枠体２４とによって構成される。
【００１２】
導光板１０は、図１に示すように、アクリル樹脂等のような透光性材料からなる楔状の本体２６を含み、本体２６の厚肉側端面は光源１４からの光を取り込む「入光面２６ａ」とされ、上面（図１における上面）は「出光面２６ｂ」とされ、出光面２６ｂと対向する面は「非出光面２６ｃ」とされる。また、本体２６の入光面２６ａおよび出光面２６ｂに対して直交する端面は、「側端面２６ｄ」とされる。さらに、非出光面２６ｃには、入光面２６ａに対して直交する方向へ延びる複数のプリズム２８が形成される。
【００１３】
そして、互いに対向する側端面２６ｄのそれぞれには、図３に示すように、非出光面２６ｃと面一になる位置Ｐから出光面２６ｂへ向けた方向に厚みＤを有する２つの係止突起３０ａおよび３０ｂが所定間隔を隔てて形成される。ここで、「非出光面２６ｃと面一になる位置Ｐ」とは、プリズム２８における谷部の最深部から山部の最高部までの範囲内のいずれかの位置をいうものとする。
【００１４】
図３（Ａ）に示した係止突起３０ａは、側端面２６ｄの中央より入光面２６ａ側に形成されたものであり、その厚みＤは、係止突起３０ａが設けられた位置における本体２６の厚みＨとの関係において、「Ｈ×１／２≦Ｄ≦Ｈ×３／４」の式を満足するように設定される。ここで、「係止突起３０ａが設けられた位置」とは、係止突起３０ａの幅方向中央部を通る仮想線（図３中の一点鎖線）Ｌに沿った位置を意味するものとする。
【００１５】
一方、図３（Ｂ）に示した係止突起３０ｂは、側端面２６ｄの中央より入光面２６ａと対向する面側に形成されたものであり、その厚みＤは、係止突起３０ｂが設けられた位置における本体２６の厚みＨとの関係において、「Ｈ×１／２≦Ｄ≦Ｈ×３／４」の式を満足するように設定される。ここで、「係止突起３０ｂが設けられた位置」とは、係止突起３０ｂの幅方向中央部を通る仮想線（図４中の一点鎖線）Ｌに沿った位置を意味するものとする。
【００１６】
枠体２４（図２）は、平面視略四角形の枠本体３２を含み、枠本体３２の上面には、導光板１０の係止突起３０ａおよび３０ｂが嵌合される嵌合溝３２ａおよび３２ｂが形成される。
【００１７】
面型照明装置１２を組み立てる際には、図２に示すように、係止突起３０ａおよび３０ｂが嵌合溝３２ａおよび３２ｂに嵌合されることによって導光板１０が枠体２４に装着され、導光板１０の入光面２６ａに沿って光源１４が配置され、光源１４を覆うようにしてリフレクタ１６が配置される。また、導光板１０の非出光面２６ｃに沿って反射板１８が配置され、出光面２６ｂに沿って導光レンズ２０および拡散板２２が層状に配置される。
【００１８】
面型照明装置１２を液晶表示パネルの背面に配置して光源１４を点灯すると、光源１４からの光は、直接またはリフレクタ１６を介して入光面２６ａから導光板１０内に入射され、導光板１０の壁面で反射されながら進行する。導光板１０内の光は、導光板１０の壁面に対する入射角が所定条件を満たすときに、壁面を透過して外部へ出射される。そして、非出光面２６ｃから出射された光は、反射板１８により反射されて導光板１０内へ戻され、出光面２６ｂから出射された光は、導光レンズ２０および拡散板２２を経て液晶表示パネルに照射される。
【００１９】
導光過程においては、導光板１０の側端面２６ｄから漏れ出る光の一部が係止突起３０ａおよび３０ｂの入隅部または出隅部で屈曲されるが、この実施例では、係止突起３０ａおよび３０ｂの厚みＤを導光板１０（本体２６）の厚みＨよりも十分に薄く（Ｄ≦Ｈ×３／４）設定しているので、屈曲された光による異常発光を大幅に抑制できる。また、係止突起３０ａおよび３０ｂの厚みＤを導光板１０（本体２６）の厚みＨの１／２よりも厚く（Ｈ×１／２≦Ｄ）設定しているので、係止突起３０ａおよび３０ｂにおける強度不足の問題は生じない。
【００２０】
なお、発明者は、導光板１０（本体２６）の厚みＨとの関係において、係止突起３０ａおよび３０ｂが採り得る厚みＤについて調査した。この調査では、異常発光の程度を目視により確認し（発光試験）、また、係止突起３０ａおよび３０ｂに高さ３０ｃｍからの落下による衝撃を与えて損傷の程度を確認した（落下試験）。そして、これらの試験結果を「〇」，「×」，「△」の３段階で評価し、これを表１にまとめた。
【００２１】
【表１】
2004045454.tif 000003
【００２２】
表１より、「発光」および「強度」の両方を満足させることのできる係止突起の厚みＤは、「Ｈ×１／２≦Ｄ≦Ｈ×３／４」の範囲内にあることが確認できた。
【００２３】
なお、上述の実施例では、導光板１０の各側端面２６ｄに２つの係止突起３０ａおよび３０ｂを形成した場合を示したが、係止突起３０の数は適宜変更可能であり、図４に示すように１つだけであってもよい。また、導光板１０の形状も適宜変更可能であり、図５に示すような平板状であってもよい。これらの場合でも、「Ｈ×１／２≦Ｄ≦Ｈ×３／４」の式を満足する限り、強度低下を招くことなく異常発光を防止できる。
【００２４】
【発明の効果】
この発明によれば、係止突起の厚みＤが導光板（本体）の厚みＨの３／４よりも薄く（Ｄ≦Ｈ×３／４）設定されるので、異常発光は生じない。また、係止突起の厚みＤが導光板（本体）の厚みＨの１／２よりも厚く（Ｈ×１／２≦Ｄ）設定されるので、十分な強度を確保できる。したがって、強度低下を招くことなく異常発光を防止できる。
【図面の簡単な説明】
【図１】この発明が適用された導光板を示す斜視図である。
【図２】面型照明装置を示す分解斜視図である。
【図３】係止突起を示す図である。
【図４】係止突起が１つだけ形成された導光板を示す図である。
【図５】２つの係止突起が形成された平板状の導光板を示す図である。
【図６】従来の面型照明装置を示す分解斜視図である。
【図７】従来の導光板を示す斜視図である。
【符号の説明】
１０…　導光板
２４…　枠体
２６…　本体
２６ｄ…　側端面
３０ａ，３０ｂ…　係止突起
Ｄ…　係止突起の厚み
Ｈ…　導光板の厚み
【図１】
2004045454.tif 000004
【図２】
2004045454.tif 000005
【図３】
2004045454.tif 000006
【図４】
2004045454.tif 000007
【図５】
2004045454.tif 000008
【図６】
2004045454.tif 000009
【図７】
2004045454.tif 000010